(57)【要約】【課題】建物内の間取りを簡易にかつ多様に変更できるとともに、安定した状態での使用を可能とする間仕切り収納家具を提供する。【解決手段】収納家具１０において、家具本体１１は、底板１２、天板１３、背板１４及び左右二枚の側板１５を連結して箱型に組み立てられている。側板１５の外側には、側板１５とほぼ同サイズの平板状をなす引き戸３０が設けられている。引き戸３０は、家具本体１１に設けられたガイドレール３１，３２により、移動可能な状態で家具本体１１に対し保持される。この場合、内外二重の構造を有するガイドレール３１の内レール３１ｂも後方に引き出されるため、引き戸３０は内レール３１ｂによって案内される。ここで、内レール３１ｂはビス等により天井に固定される。【選択図】  図５
2007282687.tif 000002
【特許請求の範囲】
【請求項１】
物品を収納するための収納部を有するとともに建物内の間仕切りを可能とする箱状の家具本体を備え、その家具本体に、物品出し入れ口とは異なる少なくとも一側面に可動面材を重ねて取り付けた間仕切り収納家具であって、
前記家具本体に、前記可動面材の移動により該可動面材が前記家具本体から離れる部位を保持する面材保持手段を設けたことを特徴とする間仕切り収納家具。
【請求項２】
前記家具本体に、前記面材保持手段として、前記可動面材を移動可能に支持しかつ可動面材の移動方向に伸縮可能となる支持レール部材を取り付けた請求項１に記載の間仕切り収納家具。
【請求項３】
前記支持レール部材を内外二重構造とし、その外側レール部材を前記家具本体に固定するとともに、内側レール部材を前記家具本体から外方に引き出し可能とした請求項２に記載の間仕切り収納家具。
【請求項４】
前記外側レール部材を前記家具本体の天板部に固定する一方、前記内側レール部材を、前記家具本体から引き出した状態で建物の天井に対して固定可能とした請求項３に記載の間仕切り収納家具。
【請求項５】
前記可動面材の下端部に車輪部材を設け、該車輪部材が建物内の床面上を転動する構成とした請求項１乃至４のいずれかに記載の間仕切り収納家具。
【請求項６】
前記家具本体に、ヒンジ部材により前記可動面材を回動可能に支持したことを特徴とする請求項１乃至５のいずれかに記載の間仕切り収納家具。
【請求項７】
前記可動面材の幅は、前記可動面材が重ねられている家具本体の面幅と同一であることを特徴とする請求項１乃至６のいずれかに記載の間仕切り収納家具。
【請求項８】
前記家具本体に、各々個別に移動可能となるようにして複数の可動面材同士を重ねて取り付けた間仕切り収納家具であって、前記複数の可動面材を家具本体に対して同方向に移動可能とした請求項１乃至７のいずれかに記載の間仕切り収納家具。
【請求項９】
前記複数の可動面材のうち、家具本体に対面している第１の可動面材を家具本体に対して移動可能に保持するとともに、前記第１の可動面材よりも外側の第２の可動面材を前記第１の可動面材に対して移動可能に保持する構成とした請求項８に記載の間仕切り収納家具。
【請求項１０】
前記家具本体には、前記第１の可動面材を移動可能に保持するための第１の保持部材を設け、前記第１の可動面材には、前記第２の可動面材を移動可能に保持するための第２の保持部材を設けた請求項９に記載の間仕切り収納家具。
【請求項１１】
前記家具本体に、各々個別に移動可能となるようにして複数の可動面材同士を重ねて取り付けた間仕切り収納家具であって、前記複数の可動面材を家具本体に対して互いに異なる方向に移動可能とした請求項１乃至７のいずれかに記載の間仕切り収納家具。
【請求項１２】
請求項１乃至１１のいずれかに記載の間仕切り収納家具を備え、該間仕切り収納家具の位置を変更することにより、建物内の間取りを変更することを可能とした建物。
【発明の詳細な説明】
【技術分野】
【０００１】
本発明は、物品の収納機能と屋内スペースの間仕切り機能とを有する間仕切り収納家具及び、これを有する建物に関する。
【背景技術】
【０００２】
居住者の家族構成やライフスタイル等の変化により、居住空間に対するニーズは変化する。そのため、部屋の間取り変更が必要になることがある。その際、可動式の間仕切りとして収納家具を用いれば、住宅の柱や壁等の構造を変更することなく、間取りを変更できることが知られている（例えば、特許文献１参照）。この方法により、一つの部屋の中にセミオープンな空間を作ったり、もしくは一つの部屋を独立した二つの部屋に変更したりできる。
【０００３】
上記の変更をする場合、一般に収納家具に加えて部屋間を行き来するための扉や仕切り戸などを別に設置する必要がある。この方法では、住宅の柱や壁等の構造を変更する必要は無いものの、好適なサイズの扉などを選定したり、その扉などを設置したりする作業を要し、その作業が煩雑となることが考えられる。上記の問題を解決するために、家具本体に引き戸をつける方法も提案されている。しかしながら、この場合は家具本体から引き出された引き戸を安定して保持することが難しいという点が懸念される。
【特許文献１】特開２０００−１４５１７１号公報
【発明の開示】
【発明が解決しようとする課題】
【０００４】
本発明は、建物内の間取りを簡易にかつ多様に変更できるとともに、安定した状態での使用を可能とする間仕切り収納家具を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
本発明の間仕切り収納家具（収納家具１０）では、物品を収納するための収納部を有するとともに建物内の間仕切りを可能とする箱状の家具本体（家具本体１１）を備え、その家具本体に、物品出し入れ口とは異なる少なくとも一側面に可動面材（引き戸３０）を重ねて取り付けた構成になっている。また特に、家具本体に、可動面材の移動により可動面材が家具本体から離れる部位を保持する面材保持手段（ガイドレール３１，３２）が設けられている。本収納家具に可動面材を設けたことにより、収納家具と収納家具が設置された建物内の壁部との間の空間を開閉可能に間仕切ることが可能となる。さらに、面材保持手段を設けたことにより、家具本体から引き出された可動面材を安定して保持することが可能となる。以上により、建物内の間取りを簡易にかつ多様に変更できるとともに、間仕切り収納家具を安定した状態で使用することが可能となる。
【０００７】
家具本体に、面材保持手段として、可動面材を移動可能に支持しかつ可動面材の移動方向に伸縮可能となる支持レール部材（ガイドレール３１）を取り付けると良い。この構成では、可動面材は、その移動に際し伸縮可能な支持レール部材により案内される。従って、可動面材を、支持レール部材により移動可能な状態で、かつ家具本体に対し安定して保持することが可能となる。
【０００８】
支持レール部材を内外二重構造とし、その外側レール部材（外レール３１ａ）を家具本体に固定するとともに、内側レール部材（内レール３１ｂ）を家具本体から外方に引き出し可能にすると良い。この構成では、内側レール部材が家具本体の前後もしくは左右の両方向へ引き出し可能となる。この場合、可動面材を家具本体に対して安定して保持させるための構造を簡易に実現できる。
【０００９】
外側レール部材を家具本体の天板部（天板１３）に固定し、内側レール部材を、家具本体から引き出した状態で建物の天井に対して固定可能にすると良い。この構成では、家具本体から引き出された内側レール部材が天井に対し安定して保持される。この場合、可動面材を移動させる際に、家具本体より外方に延びる内レールが動くことがないため、可動面材の移動時における安定性を向上させることができる。
【００１０】
可動面材の下端部に車輪部材（車輪３９）を設け、車輪部材が建物内の床面（床面２７）上を転動する構成とすると良い。この構成では、可動面材が床面上を移動するため、可動面材が床面から離れた状態で移動させる構造と比べて、可動面材の移動時における安定性を向上させることができる。
【００１１】
家具本体に、ヒンジ部材（ヒンジ部材９４）により可動面材（扉体９３）を回動可能に支持する構成とすることも可能である。
【００１２】
可動面材の幅は、可動面材が重ねられている家具本体の面幅と同一であると良い。これにより、可動面材を収納する際に、家具本体と略面一となり外観品質が向上する。
【００１３】
また、他の間仕切り収納家具（収納家具１００）では、家具本体（家具本体１０１）に各々個別に移動可能となるようにして複数の可動面材（引き戸１０３，１０４）同士を重ねて取り付けた構成としている。また特に、複数の可動面材を家具本体に対して同方向に移動可能としている。この構成では、家具本体からの可動面材の引き出し幅を、可動面材が一枚のみの場合と比べてより拡張することができる。この場合、収納家具と収納家具が設置された建物内の壁部との空間の間仕切り幅を、可動面材が一枚のみの場合と比べてより拡張することができる。
【００１４】
複数の可動面材のうち、家具本体に対面している第１の可動面材（引き戸１０３）を家具本体に対して移動可能に保持するとともに、第１の可動面材よりも外側の第２の可動面材（引き戸１０４）を前記第１の可動面材に対して移動可能に保持する構成とした。この構成により、複数の可動面材を移動可能な状態で、かつ家具本体に対し安定して保持することが可能となる。
【００１５】
家具本体には、前記第１の可動面材を移動可能に保持するための第１の保持部材（ガイドレール１０６）を設け、前記第１の可動面材には、前記第２の可動面材を移動可能に保持するための第２の保持部材（ガイドレール１１０）を設けた。この第１もしくは第２の保持部材により、複数の可動面材を移動可能な状態で、かつ家具本体に対し安定して保持することが可能となる。
【００１６】
また、他の間仕切り収納家具（収納家具１２０）では、家具本体（家具本体１２１）に各々個別に移動可能となるようにして複数の可動面材（引き戸１２３，１２４）同士を重ねて取り付けた構成としている。また特に、複数の可動面材を家具本体に対して互いに異なる方向に移動可能としている。この構成により、本収納家具一台のみで左右両側の空間の開閉が可能となる。
【００１７】
本発明の間仕切り収納家具を建物内に配置することにより、居住者の家族構成の変化等による居住空間の変更ニーズに応えることが可能となる。
【発明を実施するための最良の形態】
【００１８】
［第１の実施の形態］
以下、本発明を具体化した第１の実施の形態を図面に基づいて説明する。本実施形態の収納家具は、クロゼットや物入れ等の収納庫としての機能、及び部屋の空間レイアウトを変更するための間仕切りのとしての機能を有している。また、本実施形態の収納家具は空間内の任意の場所に設置可能である。
【００１９】
図１は収納家具１０を示す斜視図であり、図２は図１のＡ−Ａ線断面図である。
【００２０】
収納家具１０において、家具本体１１は、底板１２、天板１３、背板１４及び左右二枚の側板１５を連結して箱型に組み立てられている。底板１２と天板１３により家具本体１１の上下が塞がれ、背板１４と左右二枚の側板１５により後面及び側面各々が塞がれている。ここで、家具本体１１の内部が収容部となっている。左右の各側板１５の前側端部には、二枚の化粧板１６が図示しないヒンジで取り付けられており、その化粧板１６により家具本体１１の前面の開口部が開閉される。家具本体１１の内部には、収納領域を分けるため棚板１７ａ，１７ｂが取り付けられている。棚板１７ａ，１７ｂ等の取り付け位置は、収納物の大きさに応じて任意に設定可能である。本例では取り付けられた棚板の枚数を二枚としたが、必ずしもこれに限定されない。また本例では棚板は水平方向のみに取り付けられているが、これにも限定されず垂直方向に置いても構わない。さらに、家具本体１１に引き出しを併設することも可能である。
【００２１】
家具本体１１の底部の四隅には、キャスタ２０が取り付けられている。図３に示すように、キャスタ２０は底板１２の下面側に回動可能に支持された取り付け金具２１と、その取り付け金具２１に回動可能に支持された車輪２２とを有する。このキャスタ２０が底板１２の下面側四隅に取り付けられていることから、収納家具１０は全方向に移動可能となる。また、キャスタ２０近傍にはアジャスタ２３が取り付けられている。アジャスタ２３は、底板１２の下面側に取り付けられたアジャスタ金具２４と、このアジャスタ金具２４に螺合されたアジャスタボルト２５とを有しており、アジャスタボルト２５の下端部には床接触部２６が設けられている。アジャスタボルト２５は回転することで上下に移動可能である。したがって、床接触部２６はアジャスタボルト２５を回転させることで上下に移動可能である。床接触部２６が床面２７より浮いた状態であれば、車輪２２が床面２７に接触するため、収納家具１０は任意の場所へ移動可能となる。また、床接触部２６を床面２７に接触させれば、車輪２２が床面２７から浮くため、収納家具１０が固定される。なお、キャスタ２０に図示しない回転ストッパを設け、この回転ストッパにより車輪２２を床面２７に接触させることでも、収納家具１０の位置を固定することが可能である。
【００２２】
家具本体１１の側板１５外側には、側板１５とほぼ同サイズの平板状をなす引き戸３０が設けられている。引き戸３０は、上下二ヶ所の取り付け部により家具本体１１に取り付けられている。上側の引き戸取り付け部の詳細な構成を図４の（ａ）に、下側の引き戸取り付け部の詳細な構成を図４の（ｂ）に示す。
【００２３】
まず家具本体１１側の構成として、天板１３の左右端部には長尺状のガイドレール３１が取り付けられている。ガイドレール３１は断面略コ字状に形成されており、その開口側が下を向くようにして取り付けられている。その長さは天板１３の奥行き方向の幅と同一である。ガイドレール３１は、内外二重の構造を有しており、外レール３１ａと内レール３１ｂから構成されている。外レール３１ａは図示しないビス等により天板１３に固定されており、この外レール３１ａに対して内レール３１ｂがスライド可能となっている。したがって、内レール３１ｂをその長手方向にスライドさせることで、内レール３１ｂが家具本体１１の前方又は後方へ引き出せるようになっている。
【００２４】
側板１５の下方外側にもガイドレール３２が取り付けられている。このガイドレール３２が上記のガイドレール３１とともに引き戸取り付け部材（面材保持手段）を構成する。ガイドレール３２は、引き戸３０の幅方向に延びる長尺状をなし、その長さは引き戸３０の幅方向の長さとほぼ同一になっている。ガイドレール３２は、側板１５に固定される固定板部３２ａと、その固定板部３２ａから逆Ｌ字状に起立する起立部３２ｂとから構成されている。
【００２５】
一方、引き戸３０側の構成として、引き戸３０の上端部には、内側（家具本体１１に相対する側）に段状に切り欠かれた段差部３３が形成されており、その段差部３３にガイド金具３４が取り付けられている。ガイド金具３４は、引き戸３０の幅方向に延びる長尺状をなし、その長さは引き戸３０の幅方向の長さとほぼ同一になっている。ガイド金具３４は、段差部３３に固定される固定板部３４ａと、その固定板部３４ａから上方に起立する起立部３４ｂとから構成されている。
【００２６】
また、引き戸３０においてその側面内側には、前後方向に延びる凹状の溝部３５が形成されており、その溝部３５内には長尺状の受け金具３６が図示しないビス等で取り付けられている。受け金具３６は側面内側に向けて略Ｃ状に形成されており、その長さは引き戸３０の幅と同一である。
【００２７】
引き戸３０を家具本体１１に組み付けた状態では、ガイド金具３４の起立部３４ｂがガイドレール３１のレール凹部３７に配されている。同時に受け金具３６の凹部３８にはガイドレール３２の起立部３２ｂが配されている。
【００２８】
引き戸３０の下端面には、複数の車輪３９が設けられており、この車輪３９によって引き戸３０がその幅方向に引き出し可能となっている。
【００２９】
図５には、収納家具１０の正面から見て右側の引き戸３０を家具後方に引き出した状態を示しており、引き戸３０は家具本体１１側のガイドレール３１，３２に案内されつつ、車輪３９が床面上を転がることにより移動する。この場合、特にガイドレール３１の内レール３１ｂが後方に引き出され、その内レール３１ｂに沿って引き戸３０が移動する。この内レール３１ｂは、家具後方に引き出された状態でビス等により天井に固定されるとよく、これにより引き戸３０が家具本体１１から引き出された状態で安定に保持可能となる。
【００３０】
ここで、引き戸３０がガイドレール３１，３２から脱落しないよう、ガイドレール３１，３２の両端には、図示しない引き戸脱落防止用部材が取り付けられることが好ましい。例えば、ガイドレール３１のレール凹部３７において、収納家具１０の正面から見て前面端部にガイド金具３４の起立部３４ｂの進路を妨げる図示しない抜け止め部材を設けるとよい。
【００３１】
上記構成の収納家具１０を用いた間仕切り方法を、図６を用いて説明する。図６に示す屋内スペースでは、壁Ｗ１，Ｗ２が図示のように設けられており、壁Ｗ２に沿って収納家具１０が設置されている。この場合、収納家具１０の正面から見て右側の引き戸３０を家具後方に引き出すことで、壁Ｗ１，Ｗ２間の通路スペースを開閉できる。ここで、引き戸３０と壁Ｗ１とは、図示しないポリパイルテープなどの緩衝材を介して密着させてもよい。なお、この場合、収納家具１０の正面から見て左側の引き戸３０は使用されない。
【００３２】
上記構成の収納家具１０は、家具本体１１の左右の各側板１５に引き戸を設けたが、この構成を変更することが可能であり、その変形例を以下に示す。図７及び図８は、収納家具５０，６０の概略を示す平面図である。
【００３３】
図７に示した収納家具５０では、家具本体５１の背板５２及び一方の側板５３に重ねて、引き戸５４，５５を設けている。引き戸５４は家具本体５１に対し左右方向に、また引き戸５５は家具本体５１に対し前後方向にスライド可能である。
【００３４】
図８に示した収納家具６０では、家具本体６１の背板６２に重ねて左右一対の引き戸６３，６４を設けている。引き戸６３，６４の幅は同一であり、かつ背板６２の幅の半分である。引き戸６３，６４は、家具本体６１に対し互いに逆方向にスライド可能であることから、収納家具６０の左右両側において空間の開閉が可能である。
【００３５】
次に、実際の住宅における適用例を図９、図１０を用いて説明する。
【００３６】
図９は、住宅の一階部における間取りを示している。（ａ）は間取り変更前、（ｂ）は間取り変更後を示す。（ａ）において、リビング７１、ダイニング７２、キッチン７３が一つの空間として連通しており、リビング７１の壁に沿うようにして収納家具７４が設置されている。住宅の一階部に設置された収納家具７４は、家具本体７４ａの背板側に二枚の引き戸７４ｂ，７４ｃを有する構成である。（ａ）では、引き戸７４ｂ，７４ｃは家具本体７４ａの背板に重ねられたままとなっている。
【００３７】
（ｂ）に示すように、リビング７１とダイニング７２の境界上に収納家具７４を移動させることにより、一つの空間を二つの空間に間仕切ることができる。具体的には、間取り変更前にはリビング７１、ダイニング７２、キッチン７３が連通していた空間を、間取り変更後にはリビング７１のみの空間とダイニング７２及びキッチン７３が連通した空間との二つの空間に分割できる。この際、収納家具７４とその両側の壁との隙間スペースは引き戸７４ｂ，７４ｃにより開閉できる。
【００３８】
図１０は、住宅の二階部における間取りを示している。（ａ）は間取り変更前、（ｂ）は間取り変更後を示す。（ａ）において、右側に二階リビング８１が配置されており、二階リビング８１隅の壁に沿うようにして収納家具８２，８３が隣り合わせで設置されている。収納家具８２は、家具本体８２ａの背板側に引き戸８２ｂを、側板側に引き戸８２ｃを有する構成である。収納家具８３は、家具本体８３ａの背板側に引き戸８３ｂを、側板側に引き戸８３ｃを有する構成である。（ａ）では、引き戸８２ｂ，８２ｃは家具本体８２ａに重ねられたままとなっている。また、引き戸８３ｂ，８３ｃも家具本体８３ａに重ねられたままとなっている。
【００３９】
（ｂ）に示すように、収納家具８２，８３を二階リビング８１中央部に移動させることにより、一つの空間を三つの空間に間仕切ることができる。具体的には、間取り変更前には二階リビング８１であった空間を、間取り変更後には階段ホール及び廊下８４、子供部屋８５、寝室８６の三つの空間に分割できる。収納家具８２，８３は隣り合わせになっており、収納家具８３は壁に密着している。収納家具８２の正面から見て右前方と壁との間、及び右後方と壁との間には隙間スペースができている。この隙間スペースは、引き戸８２ｂ，８２ｃにより開閉できる。なお、本例では、間取り変更後も引き戸８３ｂ，８３ｃは家具本体８３ａに重ねられたままとなっている。
【００４０】
以上詳述した本実施の形態によれば、以下の優れた効果が得られる。
【００４１】
本実施形態の収納家具１０では、家具本体１１に引き戸３０を重ねて取り付けるとともに、その引き戸３０を、ガイドレール３１，３２、ガイド金具３４、及び受け金具３６により家具本体１１の前後方向に出し入れ可能とした。ここで、ガイドレール３１については内外二重構造とし、家具本体１１から引き出された内レール３１ｂを建物の天井に対し固定した。以上の構成により、引き戸３０は移動可能な状態で家具本体１１に対し安定して保持できる。
【００４２】
引き戸３０の下端部に、建物内の床面上を転がる車輪３９を設けた。この車輪３９により、引き戸３０は床面上で移動可能となる。故に、引き戸３０を移動させる際の安定性を高めることができる。
【００４３】
引き戸３０の幅は、引き戸が重ねられている家具本体１１の面幅と同一にした。これにより、引き戸３０を収納する際に家具本体１１と略面一となり外観品質が向上する。
【００４４】
［第２の実施の形態］
以下、第２の実施の形態について、先の第１の実施の形態との相違点を中心に図面を参照しつつ説明する。
【００４５】
図１１は、第２の実施の形態における収納家具９０の概略を示す平面図である。本図では、家具本体に対しヒンジ部材により扉体を回動可能に支持した収納家具について説明する。図１１に示した収納家具９０では、収納家具９０の正面から見て右側の側板９２に、側板９２とほぼ同サイズの平板状をなす扉体９３が取り付けられている。図１１の（ａ）には扉体９３が側板９２に重ねられた状態を示し、（ｂ）には扉体９３を家具後方に回動させた状態を示す。
【００４６】
扉体９３は、側板９２の後方に取り付けられた複数個のヒンジ部材９４により、家具本体９１に対し回動可能に支持されている。家具本体９１の天板９５には、ヒンジ部材９４を中心とする円上に溝部９６が設けられている。この溝部９６には、円弧状をなしかつ断面略コ字状のガイドレール９７が下方に向けて設けられている。ガイドレール９７は溝部９６に対し図示しないビス等で取り付けられている。一方、扉体９３の上端部には、上方に延びる係合ピン９８が設けられており、ガイドレール９７に係合ピン９８が係合状態で配されている。ここで、ガイドレール９７は図示しないビス等を取り外すことにより、溝部９６に対してスライド可能となる。したがって、ガイドレール９７を、家具本体９１の外側へと円弧状に引き出せるようになっている。
【００４７】
（ｂ）に示すように、扉体９３を回動させる場合には、予め、ガイドレール９７を外側へ引き出しておく。引き出したガイドレール９７は、天井と図示しないビス等で固定しておく。なお、家具本体９１の係合ピン９８の動きに連動してガイドレール９７を引き出す構造にしてもよい。これにより、扉体９３はガイドレール９７に案内され、かつヒンジ部材９４を介し回動可能となる。その際、扉体９３下部に取り付けられた図示しない車輪により、扉体９３は回動可能である。
【００４８】
また回動させた扉体９３は、ヒンジ部材９４、ガイドレール９７、及び扉体９３下部に取り付けられた図示しない車輪により、安定に保持可能である。
【００４９】
以上詳述した本実施の形態によれば、家具本体９１に対しヒンジ部材９４を設け、このヒンジ部材９４により扉体９３を回動可能に支持する構成にした。この構成により、扉体９３を家具本体９１に対して前後方向に回動させることができる。その際、収納家具９０の側方にできる通路スペース等を扉体９３によって開閉できる。
【００５０】
［第３の実施の形態］
本実施の形態では、家具本体に各々個別に同方向に移動可能となるようにして複数の引き戸を重ねて取り付けた収納家具について説明する。図１２は、第３の実施の形態における収納家具１００の概略を示す平面図である。図１２に示した収納家具１００の正面から見て右側の側板１０２に重ねて、側板１０２とほぼ同サイズの平板状をなす引き戸１０３，１０４が取り付けられている。引き戸１０３，１０４は、家具本体１０１に対して各々個別にスライド移動可能であり、以下にその詳細な構成を説明する。
【００５１】
図１３は、二枚の引き戸１０３，１０４の上端部において、これらをスライド可能に保持する構成を示す断面図である。家具本体１０１の天板１０５の側端部には、長尺状をなしかつ断面略コ字状のガイドレール１０６が下方に向けて設けられている。ガイドレール１０６は、図４で例示したガイドレール３１と同様に、内外二重の構造を有しており家具本体１０１の前方又は後方へ引き出し可能である。一方、引き戸１０３は、図４で例示した引き戸３０と同様に上端段差部１０７を有しており、この上端段差部１０７にガイド金具１０８が取り付けられている。ガイド金具１０８の構成は、図４で例示したガイド金具３４の構成と同じである。引き戸１０３を家具本体１０１に組み付けた状態では、ガイド金具１０８がガイドレール１０６のレール凹部１０９に配されている。
【００５２】
また、引き戸１０３の上端部には、長尺状をなしかつ断面略コ字状のガイドレール１１０が下方に向けて設けられている。ガイドレール１１０は、図４で例示したガイドレール３１と同様に、内外二重の構造を有しており引き戸１０４の前方又は後方へ引き出し可能である。一方、引き戸１０４は、図４で例示した引き戸３０と同様に上端段差部１１１を有しており、この上端段差部１１１にガイド金具１１２が取り付けられている。ガイド金具１１２の構成は、図４で例示したガイド金具３４の構成と同じである。引き戸１０４を引き戸１０３に組み付けた状態では、ガイド金具１１２がガイドレール１１０のレール凹部１１３に配されている。
【００５３】
さらに、図示は省略するが引き戸１０３，１０４の下端部近くにも、引き戸取り付け部材が設けられている。
【００５４】
従って、引き戸１０３は家具本体１０１に対して移動可能に保持され、また引き戸１０４は引き戸１０３に対して移動可能に保持される。以上により、引き戸１０３，１０４の二枚を、家具本体１０１に対し共に後方へスライド可能である。
【００５５】
以上詳述した本実施の形態によれば、各々同方向に移動可能な引き戸１０３，１０４を家具本体１０１に対し重ねて取り付けた。これにより、収納家具１００の後方において、引き戸２枚分の幅の空間が開閉可能となる。
【００５６】
引き戸１０３を移動可能に保持するためのガイドレール１０６を家具本体１０１に設けるとともに、引き戸１０４を移動可能に保持するためのガイドレール１１０を引き戸１０３に設けた。この構成により、引き戸１０３，１０４を移動可能な状態で安定して保持することが可能となる。
【００５７】
［第４の実施の形態］
本実施の形態では、各々個別に互いに異なる方向に移動可能となるようにして複数の引き戸を重ねて取り付けた収納家具について説明する。図１４は、第４の実施の形態における収納家具１２０の概略を示す平面図である。図１４に示した収納家具１２０の正面から見て右側の側板１２２に重ねて、側板１２２とほぼ同サイズの平板状をなす引き戸１２３，１２４が取り付けられている。また、天板１２５の右端部には、下方に向けて二条のレール凹部を有する図示しない長尺状のガイドレールが設けられている。一方、引き戸１２３，１２４上端部には、各々図示しないガイド金具が設けられている。上記のレール凹部とガイド金具とが配されることにより、引き戸１２３，１２４は家具本体１２１に保持される。この構成では、引き戸１２３，１２４は、家具本体１２１に対し各々個別に互いに異なる方向に移動可能となる。
【００５８】
以上詳述した本実施の形態によれば、各々互いに異なる方向に移動可能な引き戸１２３，１２４を家具本体１２１に対し重ねて取り付けた構成である。従って、収納家具１２０のみで、家具前後の空間の開閉が可能となる。
【００５９】
［別の実施の形態］
上記実施の形態では、引き戸をスライド移動させる場合には、引き戸の下端面に設けた車輪が床面上を転がる構成としたが、この構成を変更することも可能である。例えば、家具左側に、外方に張り出した引き戸載置部を設け、この引き戸載置部上を、引き戸の下端面に設けた車輪が転がる構成にしてもよい。
【００６０】
また、収納家具として、前面側の化粧扉を有していないものであってもよい。
【００６１】
また、引き戸を上下に分割し、上側の戸片と下側の戸片とを各々個別に水平方向にスライド移動可能としてもよい。この場合、上側の戸片を水平方向に引き出した状態で固定し、下側の戸片のみを開閉可能としてもよい。
【００６２】
また、引き戸を上下に分割し、上側の戸片と下側の戸片とを各々個別に垂直方向にスライド移動可能としてもよい。この場合、下側の戸片を家具本体に重ねた状態で固定し、上側の戸片のみを開閉可能としてもよい。この構成では、天井と家具との間に間隙がある場合、戸片を上方に引き出して間隙を閉塞できる。従って、ある部屋から別の部屋へ漏れる光や音を軽減する等、部屋の密閉性を高めることができる。なお、部屋の密閉性をより高めるために、天井と戸片とを図示しないポリパイルテープなどの緩衝材を介して密着させてもよい。
【図面の簡単な説明】
【００６３】
【図１】発明の実施の形態における収納家具の斜視図。
【図２】図１のＡ−Ａ線における断面図。
【図３】キャスタおよびアジャスタを拡大した断面図。
【図４】引き戸取り付け部を拡大した断面図。
【図５】収納家具右側の引き戸を家具後方に引き出した斜視図。
【図６】収納家具による間仕切り方法を説明した平面図。
【図７】収納家具の変形例を示した平面図。
【図８】収納家具の変形例を示した平面図。
【図９】住宅の一階部における間取り変更例を示した図。
【図１０】住宅の二階部における間取り変更例を示した図。
【図１１】第２の実施の形態における収納家具の概略を示す平面図。
【図１２】第３の実施の形態における収納家具の概略を示す平面図。
【図１３】引き戸取り付け部を拡大した断面図。
【図１４】第４の実施の形態における収納家具の概略を示す平面図。
【符号の説明】
【００６４】
１０，５０，６０，９０，１００，１２０…収納家具、１１，５１，６１，９１，１０１，１２１…家具本体、１３，９５，１０５，１２５…天板、３０，５５，６３，６４，１０３，１０４，１２３，１２４…引き戸、３１，３２，１０６，１１０…ガイドレール、３１ａ…外レール、３１ｂ…内レール、３４，１０８，１１２…ガイド金具、３６…受け金具、３９…車輪、９３…扉体、９４…ヒンジ部材。
【図１】
2007282687.tif 000003
【図２】
2007282687.tif 000004
【図３】
2007282687.tif 000005
【図４】
2007282687.tif 000006
【図５】
2007282687.tif 000007
【図６】
2007282687.tif 000008
【図７】
2007282687.tif 000009
【図８】
2007282687.tif 000010
【図９】
2007282687.tif 000011
【図１０】
2007282687.tif 000012
【図１１】
2007282687.tif 000013
【図１２】
2007282687.tif 000014
【図１３】
2007282687.tif 000015
【図１４】
2007282687.tif 000016